【手続補正書】
【提出日】平成18年12月21日(2006.12.21)
【手続補正１】
【補正対象書類名】明細書
【補正対象項目名】請求項１
【補正方法】変更
【補正の内容】
【請求項１】電磁誘導発熱機能を有するスリーブ状の回転体である加熱ローラと、その加熱ローラの内側に設けられ、発生させた磁束を前記加熱ローラに作用させて、誘導電流により該加熱ローラを発熱させる励磁コイルとを備えた加熱装置において、前記加熱ローラの一端を開口させ、他端を袋状に形成し、その開口に略閉鎖状に蓋状部材を固定し、この蓋状部材の材質は、前記加熱ローラの芯金より熱伝導率を低くしたことを特徴とする加熱装置。
【手続補正２】
【補正対象書類名】明細書
【補正対象項目名】請求項４
【補正方法】変更
【補正の内容】
【請求項４】電磁誘導発熱機能を有するスリーブ状の回転体である加熱ローラと、その内側に設けられ、発生させた磁束を前記加熱ローラに作用させて、誘導電流により該加熱ローラを発熱させる励磁コイルとを備えた加熱装置において、前記加熱ローラの両端を開口させ、その両端の開口に略閉鎖状に蓋状部材を固定し、この蓋状部材の材質は、前記加熱ローラの芯金より熱伝導率を低くしたことを特徴とする加熱装置。
【手続補正３】
【補正対象書類名】明細書
【補正対象項目名】０００８
【補正方法】変更
【補正の内容】
【０００８】
【課題を解決するための手段】
本発明は下記の構成を有することを特徴とする加熱装置および画像形成装置で
ある。
（１）．電磁誘導発熱機能を有するスリーブ状の回転体である加熱ローラと、その加熱ローラの内側に設けられ、発生させた磁束を前記加熱ローラに作用させて、誘導電流により該加熱ローラを発熱させる励磁コイルとを備えた加熱装置において、前記加熱ローラの一端を開口させ、他端を袋状に形成し、その開口に略閉鎖状に蓋状部材を固定し、この蓋状部材の材質は、前記加熱ローラの芯金より熱伝導率を低くしたことを特徴とする加熱装置。
（２）．（１）において、加熱ローラは蓋状部材、軸受を介して筐体に支持されることを特徴とする加熱装置。
（３）．（１）において、蓋状部材は加熱ローラへの駆動伝達の一部をなすことを特徴とする加熱装置。
（４）．電磁誘導発熱機能を有するスリーブ状の回転体である加熱ローラと、その内側に設けられ、発生させた磁束を前記加熱ローラに作用させて、誘導電流により該加熱ローラを発熱させる励磁コイルとを備えた加熱装置において、前記加熱ローラの両端を開口させ、その両端の開口に略閉鎖状に蓋状部材を固定し、この蓋状部材の材質は、前記加熱ローラの芯金より熱伝導率を低くしたことを特徴とする加熱装置。
（５）．（４）において、加熱ローラは蓋状部材、軸受を介して筐体に支持されることを特徴とする加熱装置。
（６）．（４）において、蓋状部材は加熱ローラへの駆動伝達の一部をなすことを特徴とする加熱装置。
（７）．（１）〜（５）のうちのいずれか１項に記載の加熱装置の加熱ローラに加圧ローラを圧接させ、この圧接部を、表面に未定着のトナー像を有するシートを通過させ、その通過時に前記加熱ローラからの熱と前記加圧ローラの加圧力によって、前記未定着のトナー像を前記シートに定着させる加熱定着装置を備えたことを特徴とする画像形成装置。
【手続補正４】
【補正対象書類名】明細書
【補正対象項目名】００１１
【補正方法】変更
【補正の内容】
【００１１】
加熱ローラ１５は矢示の時計方向に所定の速度で回転駆動される。この加熱ローラ１５の回転に伴い、アイドルローラである加圧ローラ２０は反時計方向に従動回転する。そして、この加熱ローラ１５と加圧ローラ２０との圧接部ＮにシートＳが導入されることで、このシートＳは加熱ローラ１５に密着して該ローラと一緒に圧接部Ｎを挟持搬送される。
【手続補正５】
【補正対象書類名】明細書
【補正対象項目名】００１２
【補正方法】変更
【補正の内容】
【００１２】
加熱ローラ１５、加圧ローラ２０の層構成模型図を示す図３において、１５ａは加熱ローラ１５の基層となる金属ローラ等でできた導電層であり、より好ましくはニッケル・鉄・ステンレスといった強磁性体の金属を用いると良い。金属の厚みは厚すぎると、熱容量が大きくなるので立ち上がり時間がかかり、薄すぎると、加圧による撓みが大きくなり、交番磁場発生手段１０とのギャップが加熱ローラ１５の母線方向に不均一になったり紙しわが発生するので、０．４ｍｍから１ｍｍぐらいがよい。
【手続補正６】
【補正対象書類名】明細書
【補正対象項目名】００１４
【補正方法】変更
【補正の内容】
【００１４】
加圧ローラ２０は、芯金２０ａの周囲にシリコーンゴムやフッ素ゴム等の耐熱性の良い弾性層２０ｂを設け、最外層にはフッ素樹脂やシリコン樹脂という耐熱性かつ離型性の優れた樹脂層２０ｃを被覆して設けてある。交番磁場発生手段１０の高透磁率コア１７はフェライトやパーマロイといったトランスのコアに用いられる材料を用いるが、より好ましくは、１００ｋＨｚ以上でも損失の少ないフェライトを用いるのがよい。
【手続補正７】
【補正対象書類名】明細書
【補正対象項目名】００１６
【補正方法】変更
【補正の内容】
【００１６】
従って、加熱ローラ１５と加圧ローラ２０との間の圧接部ＮにシートＳを導入して挟持搬送させることで、シートＳ上のトナー像が加熱定着される。このような構成で磁気誘導加熱定着を行うことによって熱容量が少なく、熱伝導に時間を要さないため、立ち上がり時間の大幅な短縮ができる。
【手続補正８】
【補正対象書類名】明細書
【補正対象項目名】００１９
【補正方法】変更
【補正の内容】
【００１９】
実施の形態１の特徴的構成として、加熱ローラ１５の一端（図１の左端）は導電層１５ａが袋状に形成され該端部からの空気の出入りができない。この端面に凹部１５ｃを形成し、この凹部１５ｃに軸受２８を装着させ、ホルダーステー１１の支持軸４１を嵌合することで該ホルダーステーに加熱ローラ１５の一端を回転自在に支持する。
【手続補正９】
【補正対象書類名】明細書
【補正対象項目名】００２１
【補正方法】変更
【補正の内容】
【００２１】
蓋状部材２１はボールベアリング２２と嵌合し、加熱ローラ１５をユニット側板４３に対して回転自在に支持する軸受支持部２１ｂを有する。この軸受支持部２１ｂを介して加熱ローラ１５を支持するので、ボールベアリング２２は加熱ローラ１５の熱を直接受けず、熱によるベアリングの故障（ベアリング内におけるグリスの劣化、焼き付き等）を防止する。
【手続補正１０】
【補正対象書類名】明細書
【補正対象項目名】００２２
【補正方法】変更
【補正の内容】
【００２２】
また、蓋状部材２１には先端部の円筒面にギア２１ｃが切られており、図示しない入力ギアより加熱ローラ１５への駆動入力を受ける。一方、蓋状部材２１の中央部には貫通穴２１ｄが設けられ、この貫通穴２１ｄの加熱ローラ１５に対する組み付け側端部には軸受２７が嵌合装着されている。この軸受２７でホルダーステー１１の円筒部２６を加熱ローラ１５に対して回転自在に支持する。軸受２７およびヒーターホルダの円筒部が蓋状部材２１の穴部２１ｅ，２１ｆに装着されることにより、円筒内の電線を通したあとの隙間を除いて、加熱ローラ１５の右端部も外部と遮断される。
（加圧ローラ）
加圧ローラ２０として、外径３０ｍｍの芯金２０ａの上に、耐熱弾性層２０ｂとして層厚２ｍｍ・面長３２０ｍｍのシリコーンゴム層を設け、その上に耐熱樹脂層２０ｃとしてＰＦＡ／ＰＴＦＥの被覆層を形成したものを用いた。加圧ローラ２０は加圧手段としてのばね５０により加熱ローラ１５へ１０Ｋｇｆの力で付勢され加熱ローラ１５の回転に伴い従動回転する。
（交番磁場発生手段）
ホルダーステー１１はフェノール、ＰＰＳ，ＰＩ，ＰＡＩ，ＰＢＴ等の耐熱樹脂でできており、コイル１８、ホルダーステー１１、コア１７、およびガイドステー１２で１ユニット１０を構成している。コイル１８はコア１７に固着したＰＰＳのガイドステー（図示せず）の外面に沿って円弧状の断面を形成するように７回巻かれている。
【手続補正１１】
【補正対象書類名】明細書
【補正対象項目名】００２５
【補正方法】変更
【補正の内容】
【００２５】
蓋状部材が加熱ローラの芯金としての導電層より熱伝導率が低くしたことにより、
１．加熱ローラの熱気を外部に出さない加熱機能。
２．加熱ローラの導電層の熱をボールベアリングに直接伝えない断熱機能。
３．加熱ローラに駆動を与える駆動力伝達機能。
の３つの機能を挙ねることで部品点数を減らし、装置の簡略化をはかることができる。
実施の形態２．
図５は本発明の第２の実施例による加熱装置の概略断面図を示すもので、前記第１の実施例と同一部分には同一符号を付して重複説明を省略する。図５において、加熱ローラ１５（ｂ）はスリーブ状で両端が開放されている。この一端側開口は前記第１，２図に示した蓋状部材２１で密閉し、他端側開口は外部から蓋状部材２９（ｂ）で密閉する。この蓋状部材２９（ｂ）の材質はポリアミドイミドで、中心部内側に軸受２８を保持し、ホルダーステー１１の一端を支持する。この蓋状部材２９（ｂ）は加熱ローラ１５（ｂ）を支持するベアリング２２（ｂ）と該加熱ローラの間に狭まることで断熱部材を兼ねる。この第２の実施例による効果は、第１の実施例と同じである。
実施の形態３．
図６は本発明の画像形成装置の概略構成を示す電子写真方式を採用した複写機の断面図である。この複写機は走査光学系を有するリーダー部１で読み取った画像情報を、光電変換して画像形成部２に転送し、給紙部３によって給送されたシートＳに画像形成部２において画像形成が行われる。画像形成後のシートＳは定着装置４に搬送され、熱および圧力を印加されてシート上の未定着トナー像が該シートに定着される。以下、各部を詳細に説明する。
【手続補正１２】
【補正対象書類名】明細書
【補正対象項目名】００２７
【補正方法】変更
【補正の内容】
【００２７】
（画像形成部２）
上記リーダー部１によって読み取られた画像情報に基づき、レーザー発光部２ａはレーザー光を発光し、ポリゴンミラー２ｂの回転によって感光ドラム２ｃの母線方向に走査させ、予め帯電器２ｄによって帯電させてある感光ドラム２ｃの表面に潜像を形成する。この潜像は感光ドラム２ｃの周囲に設けた現像機２ｅによって現像され、レジストローラ対２ｆによって、感光ドラム２ｃに対するトナー像形成と同期取りして搬送されたシートＳに、転写帯電器２ｇによって未定着のトナー像が転写される。画像転写後に感光ドラム２ｃの表面に残留するトナーはクリーニング器２ｈによって除去され該感光ドラムは順次画像形成に供される。尚本実施例では露光部レーザービームプリンタ方式を採用しているが、照明光学方式を用いてよい。
【手続補正１３】
【補正対象書類名】明細書
【補正対象項目名】００２８
【補正方法】変更
【補正の内容】
【００２８】
（給送部３）
複写機の下部にはサイズの異なるシートＳを積載収納した給紙カセット３ａ、３ｂが着脱可能に装着されており、ピックアップローラ３ｃ，３ｄによって１枚づつ給送を行なう。仮に複数枚のシートＳをピックアップしてしまった場合でも、搬送ローラ３ｅ，３ｇ及びリタードローラ３ｆ，３ｈに挟持されたときに、図示しないトルクリミッタを介して搬送方向とは逆方向に駆動するリタードローラ３ｆ，３ｈによって最上側の１枚のみが給送され重送されることはない。
【手続補正１４】
【補正対象書類名】図面
【補正対象項目名】図１
【補正方法】変更
【補正の内容】
【図１】
2001332378.tif 000001
【手続補正１５】
【補正対象書類名】図面
【補正対象項目名】図６
【補正方法】変更
【補正の内容】
【図６】
2001332378.tif 000002